(57)【要約】【課題】拡張型物理ダウンリンクリンク制御チャネルのサーチスペースの設定方法を提供する。【解決手段】（ａ）ユーザー端末（ＵＥ）によって基地局から第１の上位層情報を受信し、第１のセットの物理リソースブロック（ＰＲＢ）を決定するステップ、（ｂ）１つまたは複数の候補の拡張型物理ダウンリンク制御チャネル（ｅＰＤＣＣＨ）がＵＥ向けのダウンリンク制御情報を搬送する可能性がある、前記第１のセットのＰＲＢ内の第１のセットの候補のｅＰＤＣＣＨを決定するステップ、および（ｃ）前記第１のセットの候補のｅＰＤＣＣＨをデコーティングし、前記ＵＥ向けの前記ダウンリンク制御情報を得るステップを含む方法。【選択図】図１
2015518305.tif 000002
【特許請求の範囲】
【請求項１】
ユーザー端末（以下ＵＥと称す）によって基地局から第１の上位層情報を受信し、第１のセットの物理リソースブロック（以下ＰＲＢと称す）を決定するステップ、
第１のセットのＰＲＢ内の第１のセットの候補の拡張型物理ダウンリンク制御チャネル（以下ｅＰＤＣＣＨと称す）を決定するステップ、および
前記第１のセットの候補のｅＰＤＣＣＨをデコーティングし、前記ＵＥ向けのダウンリンク制御情報を得るステップを含み
１つまたは複数の候補のｅＰＤＣＣＨは前記ＵＥ向けの前記ダウンリンク制御情報を搬送する可能性をもつ
方法。
【請求項２】
前記第１のセットの候補のｅＰＤＣＣＨは、分散タイプであり、
分散のｅＰＤＣＣＨによって用いられる無線リソースは、複数の不連続のＰＲＢに分散する
請求項１に記載の方法。
【請求項３】
前記第１のセットの候補のｅＰＤＣＣＨは、セルの複数のＵＥ向けの共通サーチスペースを構成する
請求項２に記載の方法。
【請求項４】
前記第１のセットの候補のｅＰＤＣＣＨは、特定のＵＥだけ向けのＵＥ固有サーチスペースを構成する
請求項２に記載の方法。
【請求項５】
前記第１のセットの候補のｅＰＤＣＣＨは、局所タイプであり、局所のｅＰＤＣＣＨによって用いられる無線リソースは、１つのＰＲＢ内、または、連続のＰＲＢにある
請求項１に記載の方法。
【請求項６】
前記第１のセットの候補のｅＰＤＣＣＨは、特定のＵＥだけ向けのＵＥ固有サーチスペースを構成する
請求項５に記載の方法。
【請求項７】
ユーザー端末（ＵＥ）によって基地局から第２の上位層情報を受信し、第１のＰＲＢを決定するステップ、
第２のセットのＰＲＢ内の第２のセットの候補のｅＰＤＣＣＨを決定するステップ、および
前記第１のセットの候補のｅＰＤＣＣＨをデコーティングし、前記ＵＥ向けの前記ダウンリンク制御情報を得るステップを更に含み、
１つまたは複数の候補のｅＰＤＣＣＨがＵＥ向けの前記ダウンリンク制御情報は搬送する可能性をもつ
請求項１に記載の方法。
【請求項８】
前記第２のセットの候補のｅＰＤＣＣＨは、局所タイプであり、局所のｅＰＤＣＣＨによって用いられる無線リソースは、複数の不連続のＰＲＢに分散する
請求項７に記載の方法。
【請求項９】
前記第２のセットの候補のｅＰＤＣＣＨは、局所タイプであり、局所のｅＰＤＣＣＨによって用いられる無線リソースは、１つのＰＲＢ内、または、連続のＰＲＢにある
請求項７に記載の方法。
【請求項１０】
前記ＵＥは、ダイバーシチ伝送方式に用いる第１のサブフレームでＵＥ固有サーチスペース用に分散タイプの前記第１のセットのｅＰＤＣＣＨをデコードし、かつ、ダイバーシチ伝送方式に用いる第２のサブフレームでＵＥ固有サーチスペース用に局所タイプの前記第２のセットのｅＰＤＣＣＨをデコードする
請求項７に記載の方法。
【請求項１１】
第１のセットの候補の拡張型物理ダウンリンク制御チャネル（ｅＰＤＣＣＨ）を第１のセットのＰＲＢ内で分割し、第１のセットのＰＲＢを示す第１の上位層情報を基地局から各ＵＥに送信するステップ、
各ＵＥ用に、各候補のｅＰＤＣＣＨの物理リソースをセットの論理ｅＣＣＥにマッピングするステップ、および
前記ＵＥ向けのＤＣＩがある場合、ＵＥへの送信と対応するセットの論理ｅＣＣＥで、ダウンリンク制御情報（ＤＣＩ）をエンコードするステップを含み、
１つまたは複数の候補のｅＰＤＣＣＨは前記ダウンリンク制御情報を搬送する可能性をもつ
方法。
【請求項１２】
前記第１のセットの候補のｅＰＤＣＣＨは、分散タイプであり、分散のｅＰＤＣＣＨによって用いられる無線リソースは、複数の不連続のＰＲＢに分散する
請求項１１に記載の方法。
【請求項１３】
前記第１のセットの候補のｅＰＤＣＣＨは、セルの複数のＵＥ向けの所定の論理ｅＣＣＥと関連した共通サーチスペースを構成する
請求項１２に記載の方法。
【請求項１４】
前記第１のセットの候補のｅＰＤＣＣＨは、特定のＵＥ向けだけの所定の論理ｅＣＣＥと関連したＵＥ固有サーチスペースを構成する
請求項１２に記載の方法。
【請求項１５】
前記第１のセットの候補のｅＰＤＣＣＨは、局所タイプであり、局所のｅＰＤＣＣＨによって用いられる無線リソースは、１つのＰＲＢ内、または、連続のＰＲＢにある
請求項１１に記載の方法。
【請求項１６】
前記第１のセットの候補のｅＰＤＣＣＨは、特定のＵＥ向けだけのＵＥ固有サーチスペースを構成する
請求項１５に記載の方法。
【請求項１７】
第２のセットのｅＰＤＣＣＨを第２のセットのＰＲＢ内に分割し、第２のセットのＰＲＢを示す第２の上位層情報を基地局から各ＵＥに送信するステップ、
各ＵＥ用に、各候補のｅＰＤＣＣＨの物理リソースをセットのｅＣＣＥにマッピングするステップ、および
（ｆ）前記ＵＥ向けのＤＣＩがある場合、ＵＥへの送信と対応するセットの論理ｅＣＣＥで、前記ダウンリンク制御情報をエンコードするステップを更に含み、
１つまたは複数の候補のｅＰＤＣＣＨがダウンリンク制御情報（ＤＣＩ）を搬送する可能性をもつ
請求項１１に記載の方法。
【請求項１８】
前記第２のセットの候補のｅＰＤＣＣＨは、分散タイプであり、分散のｅＰＤＣＣＨによって用いられる無線リソースは、複数の不連続のＰＲＢに分散する
請求項１７に記載の方法。
【請求項１９】
前記第２のセットの候補のｅＰＤＣＣＨは、局所タイプであり、局所のｅＰＤＣＣＨによって用いられる無線リソースは、１つのＰＲＢ内、または、連続のＰＲＢである
請求項１７に記載の方法。
【請求項２０】
前記基地局は、第１のサブフレームでＵＥ固有サーチスペース用に分散タイプの前記第１のセットのｅＰＤＣＣＨをＵＥに送信し、かつ、第２のサブフレームでＵＥ固有サーチスペース用に局所タイプの前記第２のセットのｅＰＤＣＣＨを同じＵＥに送信する
請求項１７に記載の方法。
【発明の詳細な説明】
【技術分野】
【０００１】
本出願は、３５Ｕ.Ｓ.Ｃ.§１１９の下、２０１２年３月２１日に出願された米国特許仮出願番号第６１／６１３７５９号「Ｍｅｔｈｏｄ ｆｏｒ Ｓｅａｒｃｈ Ｓｐａｃｅ Ｃｏｎｆｉｇｕｒａｔｉｏｎ ｏｆ Ｅｎｈａｎｃｅｄ Ｐｈｙｓｉｃａｌ Ｄｏｗｎｌｉｎｋ Ｃｏｎｔｒｏｌ Ｃｈａｎｎｅｌ,」からの優先権を主張するものであり、これらの全ては引用によって本願に援用される。
【０００２】
本発明は、物理ダウンリンクリンク制御チャネル（ＰＤＣＣＨ：Physical Downlink Control Channe）に関し、特に、ＯＦＤＭ／ＯＦＤＭＡシステムの拡張型ｅＰＤＣＣＨのサーチスペースの設定に関するものである。
【背景技術】
【０００３】
拡張型ロングタームエボリューション（ＬＴＥ−Ａ）システムは、異機種ネットワークトポロジに配置される様々な基地局を用いることによってスペクトル効率を向上させている。異機種ネットワークは、マクロ、ピコ、フェムト、およびリレー基地局の組み合わせを用いて、フレキシブル且つ低コストの配置（ｄｅｐｌｏｙｍｅｎｔ）を可能にし、均一なブロードバンドのユーザー体験を提供する。異機種ネットワークでは、基地局間のより動的な資源協調、よりよい基地局の選択戦略、及び、効率的な干渉の管理のために、より進展させた技術によって、従来の同機種ネットワークに比べて、スループットおよびユーザーエクスペリエンスで大きな利益を提供することができる。例えば、協調マルチポイント（ＣｏＭＰ）、マルチサイトＭＩＭＯ基地局（ｍｕｌｔｉ−ＢＳ／ｓｉｔｅ ＭＩＭＯ）としても知られている技術は、拡張型ＬＴＥシステムのセルエッジ（ｃｅｌｌ−ｅｄｇｅ）のＵＥの性能を向上させるために用いられる。
【０００４】
３ＧＰＰ ＲＡＮ１＃６５では、ダウンリンク制御の容量の問題は、まずＣｏＭＰシナリオ４のために議論されており、マクロセルカバー範囲内のマクロセル基地局とリモートラジオヘッド（ＲＲＨ）は、同じ物理セルＩＤをシェアしている。３ＧＰＰ ＲＡＮ１＃６５では、レガシー物理ダウンリンク共有チャネル（ＰＤＳＣＨ：Physical Downlink Shared Channel）の領域内に新しい物理制御チャネルを有する動作仮定（ｗｏｒｋｉｎｇ ａｓｓｕｍｐｔｉｏｎ）が定められる。この新しい物理制御チャネルを有する主な利点は、ＨｅｔＮｅｔ、ＣｏＭＰ、およびＭＵ−ＭＩＭＯのよりよいサポートにある。３ＧＰＰ ＲＡＮ１＃６８では、拡張型物理ダウンリンク制御チャネル（ｅＰＤＣＣＨ）がレガシーＰＤＳＣＨの領域で第１と第２の両スロットにまたがる（ｓｐａｎ）ことが定められる。
【０００５】
ｅＰＤＣＣＨにおいてダイバーシチとビームフォーミング／スケジューリングゲインを用いるために、分散および局所の伝送方式がサポートされる。しかしながら、各ＵＥ用の共通およびＵＥ固有サーチスペースで分散および局所の伝送をサポートするには、過度の制御シグナリングおよびブラインドデコーディング数を増加させる可能性がある。また、レガシーＰＤＣＣＨ用の既存のサーチスペース設計では、ＵＥは、物理リソースからサーチスペースの予め定義されたマッピングルールにより、特定の周波数サブバンドのビームフォーミングおよび／またはスケジューリングゲインを享受することができない可能性がある。全てのこれらの目的を達成するために、ｅＰＤＣＣＨの分散および局所の伝送方式に用いる割り当てられた物理無線リソースを集約する解決法と、各ＵＥ用の共通およびＵＥ固有サーチスペースの設定が求められる。
【発明の概要】
【発明が解決しようとする課題】
【０００６】
拡張型物理ダウンリンクリンク制御チャネルのサーチスペースの設定方法を提供する
【課題を解決するための手段】
【０００７】
ｅＰＤＣＣＨの分散および局所の伝送方式用の割り当てられた物理無線リソースを集約し、各ＵＥ用の共通およびＵＥ固有サーチスペースを設定する方法が提供される。
【０００８】
本実施形態では、ＵＥは、第１の上位層情報を受信し、第１のセットのＰＲＢを決定する。ＵＥは、第１のセットのＰＲＢ内の第１のセットの候補のｅＰＤＣＣＨを決定し、１つまたは複数の第１のセットの候補のｅＰＤＣＣＨは、ＵＥ向けのダウンリンク制御情報（ＤＣＩ）を搬送する可能性がある。次いでＵＥは、ＤＣＩ検出のために第１のセットの候補のｅＰＤＣＣＨをブラインドデコーティングする。同様のステップがＵＥに実行され、第２の上位層情報を受信し、第２のセットのＰＲＢを決定する。ＵＥは、第２のセットのＰＲＢ内の第２のセットの候補のｅＰＤＣＣＨも決定し、１つまたは複数の第２のセットの候補のｅＰＤＣＣＨは、ＵＥ向けのＤＣＩを搬送する可能性がある。次いでＵＥは、ＤＣＩ検出のために第１のセットの候補のｅＰＤＣＣＨをブラインドデコーティングする。
【０００９】
候補のｅＰＤＣＣＨの割り当てられた無線リソースは、分散または局所化されることができる。また、ｅＰＤＣＣＨは、共通サーチスペース（ＣＳＳ：common search space）またはＵＥ固有サーチスペース（ＵＥＳＳ）を構成することができる。言い換えれば、ｅＰＤＣＣＨは、ＵＥ固有であることができ、ブラインドデコーディングに有益である。ＵＥ固有のｅＰＤＣＣＨを用いると、各ＵＥのサーチスペースのサイズは、ダウンリンクスケジューラおよびアップリンクグラントのブロック率に影響を及ぼすことなく、ブラインドデコーディングの候補がより少数に減らされることができ、ＵＥがＤＣＩの検出のより短い処理時間を享受することができる。
【００１０】
ＵＥＳＳまたはＣＳＳは、分散または局所タイプのいずれかのｅＰＤＣＣＨを含むことができる。通常、ＣＳＳは、分散タイプのｅＰＤＣＣＨのみ含むことができる。これは、システム情報、ランダムアクセス応答、およびページング情報などのブロードキャスト制御情報が全てのＵＥ向けであり、より重要であるためである。よって、対応するｅＰＤＣＣＨは、ＵＥの受信のロバスト性を保証する周波数ダイバーシチのより良い実施を必要とする。一方、分散または局所タイプのいずれかのｅＰＤＣＣＨは、ＵＥＳＳをデコードする伝送方式によって、ＵＥＳＳに用いられることができる。１つの有利な態様において、ＵＥＳＳは、分散および局所のｅＰＤＣＣＨに基づき、ダイバーシチとプリコーディング／ビームフォーミング伝送方式間で動的スイッチングをさせることもできる。
【図面の簡単な説明】
【００１１】
【図１】本実施形態における、ｅＰＤＣＣＨ用のサーチスペースの設定を有するモバイル通信ネットワークを示している。
【図２】本実施形態における、基地局およびユーザー端末の簡略ブロック図である。
【図３】ｅＰＤＣＣＨ用のサーチスペースの設定の第１の例を示している。
【図４】ｅＰＤＣＣＨ用のサーチスペースの設定の第２の例を示している。
【図５】ｅＰＤＣＣＨ用のサーチスペースの設定の第３の例を示している。
【図６】ｅＰＤＣＣＨ用のサーチスペースの設定の第４の例を示している。
【図７】本実施形態における、ｅＰＤＣＣＨ用に基地局によってサーチスペースを設定する方法のフローチャートである。
【図８】本実施形態における、ユーザー端末によって設定されたサーチスペースからｅＰＤＣＣＨをデコードする方法のフローチャートである。
【発明を実施するための形態】
【００１２】
図１は、本実施形態における、ｅＰＤＣＣＨ１１０用のサーチスペースの設定を有するモバイル通信ネットワーク１００を示している。モバイル通信ネットワーク１００は、基地局（ｅＮｏｄｅＢ）１０１と複数のユーザー端末（ＵＥ）１０２、１０３、１０４を含むＯＦＤＭ／ＯＦＤＭＡシステムである。ｅＮｏｄｅＢからＵＥに送信されるダウンリンクパケットが存在する時に、各ＵＥは、ダウンリンク割り当て、例えば、物理ダウンリンク制御チャネル（ＰＤＳＣＨ）の１セットの無線リソースを得る。ＵＥがアップリンクでパケットをｅＮｏｄｅＢに送信する必要がある時には、ＵＥは、ｅＮｏｄｅＢからグラントを得る。ｅＮｏｄｅＢは、１セットのアップリンク無線リソースからなる物理アップリンク共有チャネル（ＰＵＳＣＨ）を割り当てるＵＥは、特にそのＵＥに特化した物理ダウンリンク制御チャネル（ＰＤＣＣＨ）からダウンリンクまたはアップリンクスケジューリング情報を得る。また、ブロードキャスト制御情報もＰＤＣＣＨでセルの全てのＵＥに送信される。ＰＤＣＣＨによって搬送された、ダウンリンクまたはアップリンクスケジューリング情報とブロードキャスト制御情報は、ダウンリンク制御情報（ＤＣＩ）とも呼ばれる。
【００１３】
ＯＦＤＭＡダウンリンクに基づく３ＧＰＰ ＬＴＥシステムでは、無線リソースは、サブフレームに分割され、各々２つのスロットからなり、各スロットは、時間領域に沿って７つのＯＦＤＭＡシンボルを有する。各ＯＦＤＭＡシンボルは、更にシステム帯域幅に応じて周波数領域に沿って複数のＯＦＤＭＡサブキャリアからなる。リソースグリッドの基本単位はリソース要素（Ｒｅｓｏｕｒｃｅ ＥｌｅｍｅｎｔＲ； ＲＥ）と呼ばれ、１つのＯＦＤＭＡサブキャリアと１つのＯＦＤＭＡシンボルとにまたがる。物理リソースブロック（ＰＲＢ）は、１つのスロットと１２個のサブキャリアを占有し、ＰＲＢペアは、２つの連続するスロットを占有する。進化したＬＴＥシステムでは、拡張型ＰＤＣＣＨ（ｅＰＤＣＣＨ）は、レガシーＰＤＳＣＨの領域で第１のスロットと第２のスロットの両スロットにまたがる。
【００１４】
図１の例では、ｅＰＤＣＣＨ１１０は、ｅＮｏｄｅＢ１０１に用いられ、ＤＣＩをＵＥに送信する。特にＵＥに特化したｅＰＤＣＣＨをデコードするために、ＵＥはそのｅＰＤＣＣＨがどこにあるかを見つける必要がある。いわゆる「ブラインド（ｂｌｉｎｄｌｙ）」デコーディング処理では、ＵＥは、どのｅＰＤＣＣＨがそれ自体に特化されるかを知る前に、複数の候補のｅＰＤＣＣＨを試みなければならない。ＵＥが１つずつ試みなければならない、セットの候補のｅＰＤＣＣＨは、ＵＥ固有サーチスペース（ＵＥＳＳ）と呼ばれる。ＵＥ固有サーチスペースの他に、各ＵＥは、ｅＰＤＣＣＨを介して送信される可能なブロードキャスト制御情報もデコードしなければならない。各ＵＥは、共通サーチスペース（ＣＳＳ）と呼ばれる、複数の候補のｅＰＤＣＣＨに関するブロードキャスト制御情報も探索しなければならない。
【００１５】
進化したＬＴＥシステムでは、ｅＰＤＣＣＨのブラインドデコーディングは、ＵＥに対して、セル固有の参照信号（ＣＲＳ）でなく、ＵＥ固有の参照信号を用いることを要求する。ＵＥ固有の参照信号は、専用の参照信号（ＤＲＳ）として知られている。ＤＲＳを用いる利点は、ｅＮｏｄｅＢが、全てのＵＥに対して同じ伝送方式に限定されているのでなく、ターゲットとなるＵＥに対してどんな伝送方式でも使用できることである。ｅＰＤＣＣＨは、分散タイプでもよく、分散タイプのｅＰＤＣＣＨによって用いられる無線リソースは、全ての動作帯域幅で分散される。ｅＰＤＣＣＨは、局所タイプでもよく、局所タイプのｅＰＤＣＣＨによって用いられる無線リソースは、ＰＲＢの１つまたは連続するセット内にある。
【００１６】
ｅＰＤＣＣＨの設計では、サーチスペースＣＳＳとＵＥＳＳがサポートされる必要がある。一般的に、ＣＳＳは、最大の周波数ダイバーシチ用に分散タイプのｅＰＤＣＣＨを用いることができ、ＵＥＳＳは、ビームフォーミングゲイン用に局所タイプのｅＰＤＣＣＨを用いることができる。どのＲＥも分散タイプのｅＰＤＣＣＨまたは局所タイプのｅＰＤＣＣＨの一部とすることができる。１セットのＲＥから形成可能な候補ｅＰＤＣＣＨの数は、非常に大きい可能性がある。ＵＥＳＳとＣＳＳの全てを探索する必要があるＵＥは、必要とされる多数のブラインドデコーディングにより、複雑になる可能性がある。
【００１７】
本実施態様では、上位層（例えば、ＲＲＣ層）信号が用いられ、ＵＥＳＳとＣＳＳ用にｅＰＤＣＣＨに用いる無線リソースを設定する。これは、ＵＥＳＳとＣＳＳが共にａ−ｐｒｉｏｒで知られるＬＴＥ Ｒｅｌ−８、９、および１０と異なる。図１に示されるように、ｅＮｏｄｅＢ１０１は、上位層信号を介してｅＰＤＣＣＨ１１０を設定する。例えば、第１のＲＲＣメッセージは、共通サーチスペースＣＳＳ１２１用に分散タイプのｅＰＤＣＣＨを設定するように用いられ、第２のＲＲＣメッセージは、ＵＥ固有サーチスペースＵＥＳＳ１２２用に局所タイプのｅＰＤＣＣＨを設定するように用いられ、第３のＲＲＣメッセージは、ＵＥ固有サーチスペースＵＥＳＳ１２３用に局所タイプのｅＰＤＣＣＨを設定するように用いられる。設定された無線リソースは、ｅＰＤＣＣＨに用いられる可能性がある全ての無線リソースのサブセットとすることができ、異なるＵＥは、異なるセットの無線リソースで設定できる。例えば、第１のＲＲＣメッセージは、ｅＮｏｄｅＢ１０１によってサーブされた同じセルの全てのＵＥに送信され、第２のＲＲＣメッセージは、特定のＵＥ（例えばＵＥ１０２）に送信され、第３のＲＲＣメッセージも特定のＵＥ（例えばＵＥ１０３）に送信される。このため、ブラインドデコーディングの複雑度を減少することができる。
【００１８】
図２は、本実施形態に基づく基地局２０１およびユーザー端末２１１の簡略ブロック図を示している。基地局２０１では、アンテナ２０７は、無線信号を送受信する。ＲＦトランシーバモジュール２０６は、アンテナに接続され、アンテナからＲＦ信号を受信し、それらをベースバンド信号に変換し、それらをプロセッサ２０３に送信する。ＲＦトランシーバ２０６もプロセッサから受信したベースバンド信号を変換し、それらをＲＦ信号に変換してアンテナ２０７に送信する。プロセッサ２０３は、受信したベースバンド信号を処理し、異なる機能モジュールを起動し、基地局２０１の特徴を実行する。メモリ２０２は、プログラム命令およびデータ２０９を保存し、基地局の動作を制御する。
【００１９】
ＵＥ２１１も同様に構成されし、アンテナ２１７は、ＲＦ信号を送受信する。ＲＦトランシーバモジュール２１６は、アンテナに接続され、アンテナからＲＦ信号を受信し、それらをベースバンド信号に変換してそれらをプロセッサ２１３に送信する。ＲＦトランシーバ２１６もプロセッサから受信したベースバンド信号を変換し、それらをＲＦ信号に変換してアンテナ２１７に送信する。プロセッサ２１３は、受信したベースバンド信号を処理し、異なる機能モジュールを起動し、ＵＥ２１１の特徴を実行する。メモリ２１２は、プログラム命令およびデータ２１９を保存し、ＵＥの動作を制御する。
【００２０】
基地局２０１とＵＥ２１１は本実施形態を実行するために、いくつかの機能モジュールを含む。異なる機能モジュールは、ソフトウェア、ファームウェア、ハードウェア、またはその組み合せによって実装されることができる。例えば、機能モジュールがプロセッサ２０３とプロセッサ２１３によって実行された時（例えば、プログラムコード２０９とプログラムコード２１９を実行することによって）、基地局２０１にダウンリンク制御チャネルを設定させ、ダウンリンク制御情報をＵＥ２１１に送信し、それに応じてＵＥ２１１に受信させ、ダウンリンク制御情報をデコードする。一例では、基地局２０１は制御モジュール２０８を介してｅＰＤＣＣＨ送信用に１セットの無線リソースを設定し、マッピングモジュール２０５を介してダウンリンク制御情報を設定されたＲＥにマップする。次いで、ｅＰＤＣＣＨで搬送されるダウンリンク制御情報は、アンテナ２０７を介してトランシーバ２０６から送信され、エンコーダ２０４をにより調整されてエンコードされる。ＵＥ２１１は、アンテナ２１７を介しトランシーバ２１６によってｅＰＤＣＣＨ設定とダウンリンク制御情報を受信する。ＵＥ２１１は、制御モジュール２１８を介してｅＰＤＣＣＨ送信用に設定された無線リソースを決定し、デマッピングモジュール２１５を介して設定されたＲＥをデマップする。次いでＵＥ２１１は、デコーダ２１４を介して収集したＲＥからダウンリンク情報を復調し、デコードする。
【００２１】
ｅＰＤＣＣＨ用の無線リソースの設定されたセットは、ＰＲＢの形式であることができる。設定されたＰＲＢの全てのＲＥは、複数のｅＰＤＣＣＨ候補にマップされる。ｅＰＤＣＣＨの物理的な構造は、どちらの２つのレベルをとり得る。第１のレベルは、拡張されたリソース要素グループ（ｅＲＥＧ）の物理ユニットであり、ＲＥのグループは各ｅＲＥＧ用に予め定義されている。第２のレベルは、拡張された制御チャネル要素（ｅＣＣＥ）の論理ユニットであり、ｅＲＥＧのグループは各ｅＣＣＥ用に上位層によって予め定義されるか、または設定可能である。ダウンリンク制御情報は、必要な変調およびコーディングレベルに応じて複数の集約されたｅＣＣＥに送信される。分散のｅＰＤＣＣＨ送信において、用いられるＲＥは、設定されたＰＲＢに常に分布され、周波数ダイバーシチが十分に利用できるようにする。局所タイプのｅＰＤＣＣＨ送信では、用いられるＲＥは、プリコーディング／ビームフォーミングゲインを用いることによって、チャネル推定においてよりよいロバストネス（robustness）のために、ＰＲＢの１つまたは連続するセット内にある。
【００２２】
ＵＥＳＳまたはＣＳＳは、分散または局所タイプのいずれかのｅＰＤＣＣＨを含むことができる。通常、ＣＳＳは、分散タイプのｅＰＤＣＣＨのみ含むことができる。これは、システム情報、ランダムアクセス応答、およびページング情報などのようなブロードキャスト制御情報が全てのＵＥ向けであり、より重要であるためである。よって、対応するｅＰＤＣＣＨは、ＵＥの受信のロバスト性を保証する周波数ダイバーシチのよりよい実施を必要とする。一方、分散または局所タイプのいずれかのｅＰＤＣＣＨは、ＵＥＳＳをデコードする伝送方式によって、ＵＥＳＳに用いられることができる。ＵＥＳＳは、分散および局所のｅＰＤＣＣＨに基づき、ダイバーシチとプリコーディング／ビームフォーミング伝送方式間で動的スイッチングをさせることもできる。ＵＥＳＳとＣＳＳは、ＲＥまたはＰＲＢの同じまたは重複セットで定義されることができる。分散および局所のｅＰＤＣＣＨ間のＰＲＢの全てのＲＥの分割は、上位層を介して予め定義されるか、または発信（ｓｉｇｎａｌｅｄ）されることができる。予め定義されたルールは、１セットのルール規則から発信されるか、または標準仕様に書き込まれることができる。
【００２３】
図３は、ｅＰＤＣＣＨ用のサーチスペースの設定の第１の例を示している。図３に示されるように、物理空間では、１セットの分散タイプの候補のｅＰＤＣＣＨは、第１のセットとして設定されたＰＲＢまたはＰＲＢペア（例えば、ＰＲＢペア＃１、＃３、および＃５）内に割り当てられ、いくつかの候補の局所タイプのｅＰＤＣＣＨは、所定のサブフレーム３００で第２のセットとして設定されたＰＲＢまたはＰＲＢペア（例えば、ＰＲＢペア＃２および＃４）内に割り当てられる。論理空間では、分散タイプのｅＰＤＣＣＨに割り当てられたＰＲＢペア＃１、＃３、および＃５の無線リソースは、一緒に集約され、インターリーブされて、ＵＥ側でロバストＤＣＩの受信のために周波数ダイバーシチゲインを用いる。集約されてインターリーブされたＲＥは、ＵＥ固有サーチスペースＵＥＳＳ３１１を形成する。一方、局所のｅＰＤＣＣＨに割り当てられたＰＲＢペア＃２と＃４の無線リソースは、集約またはインターリーブされない。ＰＲＢペア＃２内のＲＥは、ＵＥ固有サーチスペースＵＥＳＳ３２１を形成し、ＰＲＢペア＃４内のＲＥは、ＵＥ固有サーチスペースＵＥＳＳ３２２を形成する。設定されたＰＲＢの物理リソースは、ｅＰＤＣＣＨの分散および局所の無線リソースの論理ｅＣＣＥにマップされる。各ＵＥでは、どの伝送方式（ダイバーシチまたはビームフォーミング）が用いられるかによって、ＣＳＳおよびＵＥＳＳ用のｅＣＣＥが一緒に集約され、特に上位層設定（例えば、ＲＲＣ設定）を通して１つまたは１グループのＵＥに割り当てられる。
【００２４】
図３の例では、ＵＥＳＳだけがｅＰＤＣＣＨの伝送に設定される。例えば、ＵＥ＃０とＵＥ＃１は、ＰＲＢペア＃１、＃３、および＃５が分散タイプの候補のｅＰＤＣＣＨに割り当てられたことを示す設定情報を受信する。次いで、ＵＥ＃０とＵＥ＃１は、ＵＥのＣ−ＲＮＴＩによる、候補のｅＰＤＣＣＨの定義された論理位置に基づいて、ＵＥＳＳ３１１のそれら自体のＵＥＳＳを決定することができる。その結果、ＵＥ＃０およびＵＥ＃１は、ＵＥＳＳ３１１内でそれら自体のＵＥＳＳのＤＣＩをデコードすることを試みることができる。ＵＥ＃２およびＵＥ＃３では、それらもＰＲＢペア＃１、＃３、および＃５が分散タイプの候補のｅＰＤＣＣＨに割り当てられたことを示す設定情報を受信する。また、ＵＥ＃２とＵＥ＃３も、ＰＲＢペア＃２が局所タイプの候補のｅＰＤＣＣＨに割り当てられたことを示す設定情報を受信する。次いで、ＵＥ＃２とＵＥ＃３は、ＵＥのＣ−ＲＮＴＩによる、候補のｅＰＤＣＣＨの定義された論理アドレスに基づき、ＵＥＳＳ３１１およびＵＥＳＳ３２１のそれら自体のＵＥＳＳを決定する。その結果、ＵＥ＃２およびＵＥ＃３は、ＵＥＳＳ３１１およびＵＥＳＳ３２１内でそれら自体のＵＥＳＳのＤＣＩをデコードすることを試みることができる。ＵＥ＃４では、ＰＲＢペア＃４が局所タイプの候補のｅＰＤＣＣＨに割り当てられたことを示す設定情報を受信する。よって、ＵＥ＃４は、ＵＥのＣ−ＲＮＴＩによる、候補のｅＰＤＣＣＨの定義された論理アドレスに基づき、ＵＥＳＳ３２２のそれ自体のＵＥＳＳを決定し、ＵＥＳＳ３２２内でそれ自体のＵＥＳＳのＤＣＩをデコードすることを試みる。異なるＵＥ用の候補ｅＰＤＣＣＨの集約された無線リソースが異なり得ることがあることがわかる。言い換えれば、ｅＰＤＣＣＨ用の無線リソースは、ＵＥ固有であり、ブラインドデコーディングに有益である。ＵＥ固有のｅＰＤＣＣＨを用いると、各ＵＥのサーチスペースのサイズは、ダウンリンクスケジューラおよびアップリンクグラントのブロック率に影響を及ぼすことなく、ブラインドデコーディングの候補がより少数に減らされることができ、ＵＥがＤＣＩの検出のより短い処理時間を享受することができる。
【００２５】
図４は、ｅＰＤＣＣＨ用のサーチスペースの設定の第２の例を示している。図４に示されるように、物理空間では、セットの分散タイプの候補のｅＰＤＣＣＨは、第１のセットの設定されたＰＲＢまたはＰＲＢペア（例えば、ＰＲＢペア＃１、＃３、および＃５）内に割り当てられ、いくつかの候補の局所タイプのｅＰＤＣＣＨは、所定のサブフレーム４００で第２のセットの設定されたＰＲＢまたはＰＲＢペア（例えば、ＰＲＢペア＃２および＃４）内に割り当てられる。論理空間では、分散タイプのｅＰＤＣＣＨに割り当てられたＰＲＢペア（＃１、＃３、および＃５）は、一緒に集約され、インターリーブは、全ての集約されたＰＲＢペアに行われ、ＵＥ側でロバストＤＣＩの受信のために周波数ダイバーシチゲインを用いる。集約されてインターリーブされたＲＥは、ＣＳＳ４１１およびＵＥＳＳ４１２を形成する。一方、局所のｅＰＤＣＣＨに割り当てられたＰＲＢペア（＃２と＃４）は、集約またはインターリーブされない。ＰＲＢペア＃２内のＲＥは、ＵＥ固有サーチスペースＵＥＳＳ４２１を形成し、ＰＲＢペア＃４内のＲＥは、ＵＥ固有サーチスペースＵＥＳＳ４２２を形成する。設定されたＰＲＢの物理リソースは、ｅＰＤＣＣＨの分散および局所の無線リソースの論理ｅＣＣＥにマップされる。各ＵＥでは、どの伝送方式（ダイバーシチまたはビームフォーミング）が用いられるかによって、ＣＳＳおよびＵＥＳＳ用のｅＣＣＥが一緒に集約され、特に上位層の設定（例えば、ＲＲＣの設定）を通して１つまたは１グループのＵＥに割り当てられる。
【００２６】
図４の例では、ＣＳＳおよびＵＥＳＳがｅＰＤＣＣＨの伝送に設定される。共通サーチスペースおよびＵＥ固有サーチスペースの位置は、対応するｅＣＣＥの論理アドレスに基づき、論理領域に定義されることができる。例えば、ｅＣＣＥ＃０〜＃１５は、ＣＳＳに定義され、ｅＣＣＥ＃ｋ〜＃ｋ＋４は、ＵＥＳＳに定義され、ｋは、ＵＥのＣ−ＲＮＴＩによって決まる。ＵＥ＃０とＵＥ＃１は、ＰＲＢペア＃１、＃３、および＃５が分散タイプの候補のｅＰＤＣＣＨに割り当てられたことを示す設定情報を受信する。次いで、ＵＥ＃０とＵＥ＃１は、ＵＥのＣ−ＲＮＴＩによる、候補のｅＰＤＣＣＨおよびそれらのＣ−ＲＮＴＩの論理位置に基づき、ＣＳＳ４１１およびＵＥＳＳ３１２を決定することができる。その結果、ＣＳＳ４１１およびＵＥＳＳ４１２からのＤＣＩをデコードすることを試みることができる。ＵＥ＃２およびＵＥ＃３は、ＰＲＢペア＃１、＃３、および＃５が分散タイプの候補のｅＰＤＣＣＨに割り当てられたことを示す設定情報を受信する。ＵＥ＃２とＵＥ＃３は、候補のｅＰＤＣＣＨの論理位置に基づき、ＣＳＳ４１１を決定し、ＵＥ４１２がＵＥ＃２およびＵＥ＃３用にＵＥＳＳとして設定されていないため、ＵＥＳＳ４１２がそれらに割り当てられていないことを決定する。また、ＵＥ＃２とＵＥ＃３は、ＰＲＢペア＃２が局所タイプの候補のｅＰＤＣＣＨに割り当てられたことを示す設定情報を受信する。次いで、ＵＥ＃２とＵＥ＃３は、候補のｅＰＤＣＣＨの論理アドレスに基づくＣＳＳ４１１およびＵＥＳＳ４２１を集約する。その結果、ＵＥ＃２およびＵＥ＃３は、ＣＳＳ４１１およびＵＥＳＳ４２１からのＤＣＩをデコードすることを試みることができる。同様に、ＵＥ＃４は、ＲＣＣ設定からのＣＳＳ４１１およびＵＥＳＳ４２２からのＤＣＩをデコードすることを試みることができる。
【００２７】
図５は、ｅＰＤＣＣＨ用のサーチスペースの設定の第３の例を示している。図５は、図４と比較し、異なる選択肢を例示している。図５の例では、ｅＰＤＣＣＨの分散の無線リソース用のＰＲＢペアは、２つのサブセットに更に分割され、ＰＲＢペア＃１と＃３は、共通サーチスペースに割り当てられ、ＰＲＢペア＃５は、ＵＥ固有サーチスペースに割り当てられる。ＰＲＢペア間のインターリーブは、これらの２つのサブセットのＰＲＢペアに個別に行われる。無線リソースをＣＳＳ５１１からＰＲＢペア＃１と＃３にインターリーブし、無線リソースをＵＥＳＳ５１２からＰＲＢペア＃５にインターリーブする。個別に実行されたインターリーブにより、このアプローチがより小さい周波数ダイバーシチを提供する間に、ＵＥＳＳ５１２がＣＳＳ５１１から独立しているため、シグナリングオーバーヘッドを減少させることができる。よって、特定のＵＥ（例えば、ＵＥ＃０とＵＥ＃１）に設定されることができる。図４と比較し、ＣＳＳ４１１とＵＥＳＳ４１２のＰＲＢ設定は、ＵＥＳＳ４１２がＵＥ＃０とＵＥ＃１用にだけ設定されたとしても、同じセルの全てのＵＥにブロードキャストされる必要がある。
【００２８】
図６は、ｅＰＤＣＣＨ用のサーチスペースの設定の第４の例を示している。図６の分散のｅＰＤＣＣＨと局所のｅＰＤＣＣＨに割り当てられた物理リソースは、図４と非常に似ている。また、分散タイプのｅＰＤＣＣＨに割り当てられたＰＲＢペア（＃１、＃３、および＃５）は、一緒に集約され、インターリーブは、全ての集約されたＰＲＢペアに行われ、ＵＥ側で堅牢なＤＣＩの受信のために周波数ダイバーシチゲインを用いる。ＰＲＢペア＃１、＃３、および＃５内に割り当てられた分散の無線リソースは、ＣＳＳ４１１およびＵＥＳＳ４１２を形成し、ＰＲＢペア＃２内に割り当てられた局所の無線リソースは、ＵＥＳＳ６２１を形成し、ＰＲＢペア＃４内に割り当てられた局所の無線リソースは、ＵＥＳＳ６２２を形成する。論理ｅＣＣＥへの物理リソースのマッピング後、どの伝送方式が用いられるかによって、ｅＰＤＣＣＨの分散の無線リソースの共通またはＵＥ固有サーチスペース用のｅＣＣＥは、直接、または、ｅＰＤＣＣＨの局所の無線リソースと一緒に集約された後、各ＵＥに割り当てられる。
【００２９】
図６の例では、ＵＥがダイバーシチ方式のみを用いるように設定された場合（またはビームフォーミング方式を有効にしない場合）に、ｅＰＤＣＣＨの分散の無線リソースの共通またはＵＥ固有サーチスペースを有する。例えば、ＵＥ＃０とＵＥ＃１は、上位層によって設定され、ＣＳＳ４１１およびＵＥＳＳ４１２からのＤＣＩをデコードする。ＵＥがｅＰＤＣＣＨの受信用にビームフォーミング方式を用いるように設定された場合、ｅＰＤＣＣＨの分散の無線リソースの共通のサーチスペース、ｅＰＤＣＣＨの分散の無線リソースのＵＥ固有サーチスペースの一部分、およびｅＰＤＣＣＨの局所の無線リソースのＵＥ固有サーチスペースのもう１つの部分を有する。このように、ＵＥ用のＵＥ固有サーチスペースのＤＣＩは、ＵＥまたは基地局の決定からのチャネル状態情報（ＣＳＩ）のフィードバックに従って（例えば、乏しいチャネル状態に分散のｅＰＤＣＣＨを用い、よいチャネル状態に局所のｅＰＤＣＣＨを用いる）、分散または局所のｅＰＤＣＣＨのいずれかを動的に（例えばサブフレーム単位で）割り当てられることができる。例えば、ＵＥ＃２とＵＥ＃３は、上位層によって設定され、ＣＳＳ６１１およびＵＥＳＳ６１２またはＵＥＳＳ６２１からのＤＣＩをデコードする。同様に、ＵＥ＃４は、上位層によって設定され、ＣＳＳ６１１およびＵＥＳＳ６１２またはＵＥＳＳ６２２からのＤＣＩをデコードする。
【００３０】
ｅＰＤＣＣＨの分散および局所の無線リソースのＵＥＳＳの分割は、上位層によって予め定義または設定される。ｅＰＤＣＣＨの局所の無線リソースのｅＣＣＥの論理アドレスは、ｅＰＤＣＣＨの分散の無線リソースのｅＣＣＥの後、順位付けされる。その結果、上位層によって予め定義または設定されたオフセットは、ｅＰＤＣＣＨの分散の無線リソースのＵＥＳＳの論理アドレスに加えられ、ＵＥにそのｅＰＤＣＣＨの局所の無線リソースのＵＥＳＳを見つけさせる。注意するのは、ダイバーシチおよびビームフォーミング方式のＵＥＳＳのサイズが同じであるため、異なる伝送方式を用いた時、ブラインドデコーディングの候補の数も同じとなる。即ち、ＵＥ固有ＤＣＩのｅＰＤＣＣＨの候補のブラインドデコーディングは、ｅＰＤＣＣＨの分散および局所の無線リソースで２つの均等な部分に分割される。
【００３１】
図７は、本実施態様に基づくｅＰＤＣＣＨ用に基地局によってサーチスペースを設定する方法のフローチャートである。ステップ７０１では、基地局は、第１のセットのＰＲＢを示す第１の上位層情報を各ＵＥに送信する。第１のセットの候補のｅＰＤＣＣＨは、第１のセットのＰＲＢ内に分割される。ステップ７０２では、基地局は、各候補のｅＰＤＣＣＨの物理リソースをセットの論理ｅＣＣＥにマップする。１つまたは複数の第１のセットの候補のｅＰＤＣＣＨは、ＤＣＩを搬送する可能性がある。ステップ７０３では、ＤＣＩがＵＥ向けである場合、基地局は、ＤＣＩを対応するセットのｅＣＣＥにエンコードし、ＤＣＩをＵＥに送信する。候補のｅＰＤＣＣＨの割り当てられた無線リソースは、分散または局所化されることができる。また、ｅＰＤＣＣＨは、対応するｅＣＣＥの論理位置に基づき、セルの全てのＵＥ向けの共通サーチスペースを構成、または特定のＵＥ向けだけのＵＥ固有サーチスペースを構成してもよい。
【００３２】
同様に、ステップ７０４では、基地局は、第２のセットのＰＲＢを示す第１の上位層情報を各ＵＥに送信し、第２のセットの候補のｅＰＤＣＣＨは、第２のセットのＰＲＢ内に分割される。ステップ７０５では、基地局は、各候補のｅＰＤＣＣＨの物理リソースをセットの論理ｅＣＣＥにマップし、１つまたは複数の第２のセットの候補のｅＰＤＣＣＨは、潜在的にＤＣＩを搬送する。ステップ７０６では、ＤＣＩがＵＥ向けである場合、基地局は、ＤＣＩを対応するセットのｅＣＣＥにエンコードし、ＤＣＩをＵＥに送信する。ステップ７０１〜７０３と同様に、候補のｅＰＤＣＣＨの割り当てられた無線リソースは、分散または局所化され得る。また、ｅＰＤＣＣＨは、対応するｅＣＣＥの論理位置に基づき、セルの全てのＵＥ向けの共通サーチスペースを構成、または特定のＵＥ向けだけのＵＥ固有サーチスペースを構成してもよい。
【００３３】
ステップ７０１〜７０６に基づき、設定された無線リソースは、ｅＰＤＣＣＨに用いられる可能性がある全ての無線リソースのサブセットとすることができ、異なるＵＥは異なるセットの無線リソースで設定されることができる。よって、ブラインドデコーティングの複雑度を減少できる。注意するのは、実行ステップ７０１〜７０６の順序は、異なってもよいことである。例えば、基地局は、第１および第２の上位層情報を１つ以上のＵＥに送信し（ステップ７０１と７０４）、次いで物理リソースを第１および第２のセットのｅＰＤＣＣＨ用にマップし（ステップ７０２と７０５）、最後に、ＤＣＩがＵＥ向けである場合、ＵＥにＤＣＩをエンコードして送信してもよい（ステップ７０３と７０６）。
【００３４】
図８は、本実施形態に基づく、ユーザー端末によって設定されたサーチスペースからｅＰＤＣＣＨをデコードする方法のフローチャートである。ステップ８０１では、ＵＥは、基地局から第１の上位層情報を受信して第１のセットのＰＲＢを決定する。ステップ８０２では、ＵＥは、第１のセットのＰＲＢ内の第１のセットの候補のｅＰＤＣＣＨを決定する。１つ以上の候補のｅＰＤＣＣＨは、ＵＥ向けのＤＣＩを搬送する可能性がある。ステップ８０３では、ＵＥは、第１のセットの候補のｅＰＤＣＣＨをデコードし、ＵＥ向けのＤＣＩを得る。候補のｅＰＤＣＣＨの割り当てられた無線リソースは、分散または局所化され得る。また、ｅＰＤＣＣＨは、ｅＰＤＣＣＨの論理位置に基づき、セルの全てのＵＥ向けの共通サーチスペースを構成してもよく、または特定のＵＥ向けだけのＵＥ固有サーチスペースを構成してもよい。
【００３５】
同様に、ステップ８０４では、ＵＥは、基地局から第２の上位層情報を受信して第２のセットのＰＲＢを決定する。ステップ８０５では、ＵＥは、第２のセットのＰＲＢ内の第２のセットの候補のｅＰＤＣＣＨを決定する。１つ以上の候補のｅＰＤＣＣＨは、ＵＥ向けのＤＣＩを搬送する可能性がある。ステップ８０６では、ＵＥは、第２のセットの候補のｅＰＤＣＣＨをデコードし、ＵＥ向けのＤＣＩを得る。候補のｅＰＤＣＣＨの割り当てられた無線リソースは、分散または局所化され得る。また、ｅＰＤＣＣＨは、ｅＰＤＣＣＨの論理位置に基づき、セルの全てのＵＥ向けの共通サーチスペースを構成してもよく、または特定のＵＥ向けだけのＵＥ固有サーチスペースを構成してもよい。
【００３６】
ステップ８０１〜８０６に基づき、設定された無線リソースは、ｅＰＤＣＣＨに用いられる可能性がある全ての無線リソースのサブセットとすることができ、異なるＵＥは、異なるセットの無線リソースで設定できる。よって、ブラインドデコーティングの複雑度を減少できる。注意するのは、実行ステップ８０１〜８０６の順序は、異なってもよいことである。例えば、ＵＥは、基地局から第１および第２の上位層情報を受信し（ステップ８０１と８０４）、次いで第１および第２のセットのｅＰＤＣＣＨを決定し（ステップ８０２と８０５）、最後に、ＵＥ向けに、ＤＣＩをデコードしてもよい（ステップ８０３と８０６）。
【００３７】
本実施形態では、上位層（例えば、ＲＲＣ層）シグナリングが用いられ、ＵＥがｅＰＤＣＣＨのＣＳＳをモニターすべきサブフレームを示す。本例は、ＵＥ固有またはセル固有であることができる。上位層シグナリングを実施する１つの簡単な例は、各ビットが周期内の各サブフレームに対応するビットマップを有することであり、ビットマップの各ビットのバイナリ値は、ＵＥが対応するサブフレームでｅＰＤＣＣＨのＣＳＳをモニターすべきかどうかを示すように用いられる。本例では、ｅＮｏｄｅＢはｅＰＤＣＣＨだけのＵＥＳＳを割り当てることができるため、レガシーＰＤＣＣＨとｅＰＤＣＣＨのＣＳＳの複製のダウンリンク制御シグナリングにより、制御オーバーヘッドを調整または更に減少することができる。また、本例では、ＵＥは、ＵＥがｅＰＤＣＣＨのＣＳＳをモニターしないように設定されたサブフレームでＰＤＣＣＨのＣＳＳとｅＰＤＣＣＨのＵＥＳＳをモニターすることができるが、ＵＥは、ＵＥがｅＰＤＣＣＨのＣＳＳをモニターするように設定されたサブフレームでＰＤＣＣＨのＣＳＳとＵＥＳＳをモニターすることもできる。
【００３８】
本実施形態では、上位層（例えば、ＲＲＣ層）シグナリングが用いられ、ＵＥがｅＰＤＣＣＨをモニターすべきサブフレームを示す。本例は、ＵＥ固有またはセル固有であることができる。上位層シグナリングを実施する１つの簡単な例は、各ビットが周期内の各サブフレームに対応するビットマップを有することであり、ビットマップの各ビットのバイナリ値は、ＵＥが対応するサブフレームでｅＰＤＣＣＨをモニターすべきかどうかを示すように用いられる。本例では、ｅＮｏｄｅＢは、全てまたは一部のサブフレームでｅＰＤＣＣＨだけを割り当てることができるため、より細かい細分度を提供し、制御チャネルの容量の必要に基づき、ダウンリンク制御情報のオーバーヘッドを動的に調節することができる。また、本例では、ＵＥは、ＵＥがｅＰＤＣＣＨをモニターしないように設定されたサブフレームでＰＤＣＣＨのＣＳＳとＵＥＳＳをモニターすることができる、ＵＥは、ＵＥがｅＰＤＣＣＨをモニターするように設定されたサブフレームでＰＤＣＣＨのＣＳＳとＵＥＳＳをモニターすることもできる。
【００３９】
分散および局所のｅＰＤＣＣＨは、基本的に１つまたは複数のＰＲＢのＲＥからなる。ＵＥＳＳまたはＣＳＳを示す例として、ＵＥＳＳまたはＣＳＳの候補のｅＰＤＣＣＨは、ｅＰＤＣＣＨのいずれかのタイプのどれで形成されるかに基づき、１セットのＲＥとして発信されることができる。変形例として、ＰＲＢペア（同じ１２１２の周波数サブキャリアを占有する２つのスロットの２つのＰＲＢ）が複数のリソース要素グループ（ＲＥＧ）に分割された場合、ＵＥＳＳまたはＣＳＳの候補のｅＰＤＣＣＨは、ＲＥＧに基づき定義されることができる。例えば、ｅＰＤＣＣＨ用に４ＰＲＢがあり、各ＰＲＢペアが１６個のＲＥＧからなる場合、ＲＥＧ１〜ＲＥＧ６４にインデックスを付けることができる。各分散のｅＰＤＣＣＨが４個のＲＥＧからなる分散タイプのｅＰＤＣＣＨでは、例えば、ｅＰＤＣＣＨ１＝｛ＲＥＧ１、ＲＥＧ１７、ＲＥＧ３３、ＲＥＧ４９｝〜ｅＰＤＣＣＨ１６＝｛ＲＥＧ１６、ＲＥＧ３２、ＲＥＧ４８、ＲＥＧ６４｝の、サイズが４個からなるＲＥＧ（４−ＲＥＧ）の１６個の分散のｅＰＤＣＣＨを得ることができる。サイズが８個からなるＲＥＧ（８−ＲＥＧ）の分散のｅＰＤＣＣＨでは、例えば、ｅＰＤＣＣＨ１＝｛ＲＥＧ１、ＲＥＧ１７、ＲＥＧ３３、ＲＥＧ４９、ＲＥＧ２、ＲＥＧ１８、ＲＥＧ３４、ＲＥＧ５０｝〜ｅＰＤＣＣＨ８＝｛ＲＥＧ１５、ＲＥＧ３１、ＲＥＧ４７、ＲＥＧ６３、ＲＥＧ１６、ＲＥＧ３２、ＲＥＧ４８、ＲＥＧ６４｝の、８個のｅＰＤＣＣＨも得ることができる。同時に、４個のＲＥＧからなる分散タイプのｅＰＤＣＣＨの分散タイプのｅＰＤＣＣＨでは、即ち、ｅＰＤＣＣＨ１’＝｛ＲＥＧ１、ＲＥＧ２、ＲＥＧ３、ＲＥＧ４｝、ｅＰＤＣＣＨ１６’＝｛ＲＥＧ６１、ＲＥＧ６２、ＲＥＧ６３、ＲＥＧ６４｝の、サイズが４個からなるＲＥＧ（４−ＲＥＧ）の１６個の局所のｅＰＤＣＣＨも得ることができる。分散および局所タイプ用のサイズ−４／８／３２／６４ＲＥＧの全ての候補のｅＰＤＣＣＨを探索する代わりに、ＵＥＳＳがサブセットであることを示すことができる。特定のｅＰＤＣＣＨ(例えば分散)が形成され得るかは、ｅＰＤＣＣＨのサブセット（特定のタイプの、特定のサイズの、特定の位置などの）、またはＲＥＧのサブセットのいずれかに基づくことができる。例えば、８個のＲＥＧ（例えば、ＲＥＧ１、１７、３３、４９、２、１８、３４、５０）は、ＣＳＳの分散のｅＰＤＣＣＨ用だけのため、３個の候補のｅＰＤＣＣＨ（サイズが４個からなるＲＥＧの２個およびサイズが８個からなるＲＥＧの１個）だけが形成されることができる。このように、ブラインドデコーディングの複雑度は、大幅に減少されることができる。
【００４０】
本発明は、ある特定の実施の形態に関連して述べられているが本発明はこれを制限するものではない。よって、上述の実施の形態の種々の特徴の組み合わせれもよい。
【符号の説明】
【００４１】
１００…モバイル通信ネットワーク
１１０…ｅＰＤＣＣＨ
１０１…基地局ｅＮｏｄｅＢ
１０２、ＵＥ１０３、ＵＥ１０４…ユーザー端末
１２１…共通サーチスペース
１２２…ＵＥ固有サーチスペース
１２３…ＵＥ固有サーチスペース
２０１…基地局
２０２…メモリ
２０３…プロセッサ
２０４…エンコーダ
２０５…マッピングモジュール
２０６…ＲＦトランシーバモジュール
２０７…アンテナ
２０８…制御モジュール
２０９…データ
２１１…ユーザー端末
２１２…メモリ
２１３…プロセッサ
２１４…デコーダ
２１５…デマッピングモジュール
２１６…ＲＦトランシーバモジュール
２１７…アンテナ
２１８…制御モジュール
２１９…データ
３１１…ＵＥサーチスペース
３２１…ＵＥサーチスペース
３２２…ＵＥサーチスペース
４１１…共通サーチスペース
４１２…ＵＥサーチスペース
４２１…ＵＥサーチスペース
４２２…ＵＥサーチスペース
５１１…共通サーチスペース
５１２…ＵＥサーチスペース
５２１…ＵＥサーチスペース
５２２…ＵＥサーチスペース
６１１…共通サーチスペース
６１２…ＵＥサーチスペース
６２１…ＵＥサーチスペース
６２２…ＵＥサーチスペース
【図１】
2015518305.tif 000003
【図２】
2015518305.tif 000004
【図３】
2015518305.tif 000005
【図４】
2015518305.tif 000006
【図５】
2015518305.tif 000007
【図６】
2015518305.tif 000008
【図７】
2015518305.tif 000009
【図８】
2015518305.tif 000010
【国際調査報告】
2015518305.tif 000011
2015518305.tif 000012